(57)【要約】      （修正有）【課題】使用時に皮膚に与えるかき傷やかき痕を減らすことができるマッサージ器を提供する。【解決手段】一種のマッサージ器であって、一つの本体１０を有し、本体１０の一面には複数本の棒体２０が設けられている。各棒体２０の端部には別々に一つの球体３０が設けられている。球体３０は必要に応じて異なる大きさ及び数量を設置することが可能である。このようなマッサージ器によると、使用者がマッサージ器を使用するとき、複数の球体３０と皮膚が滑らかに接触するので、擦ることによって皮膚に与えるかき傷やかき痕を有効に減らすことができる。【選択図】図２
0003154183.tif 000002
【実用新案登録請求の範囲】
【請求項１】
一つの本体と、
前記本体の一面に形成された一つの掴み面と、
前記本体のもう一面に形成された一つの擦り面と、
前記擦り面に凹状に設けられた複数個の第一結合スロットと、
両端に別々に一つの第一端及び一つの第二端が設けられ、前記第一端とそれぞれ対応している前記第一結合スロット内に固定設置される複数本の棒体と、
前記棒体の第二端に固定設置される複数個の球体と、
を備えることを特徴とするマッサージ器。
【請求項２】
前記球体は異なる大きさとすることが可能であることを特徴とする請求項１に記載のマッサージ器。
【請求項３】
前記本体の前期第一結合スロットと前記棒体の前記第一端とを固定粘着することを特徴とする請求項１に記載のマッサージ器。
【請求項４】
前記棒体の前記第二端を前記球体に粘着、螺合固定、或いは一体成型することを特徴とする請求項１に記載のマッサージ器。
【請求項５】
前記本体は長条状を呈し、前記棒体及び前記球体を前記本体の一つの側縁面に設け、前記側縁面と隣り合う前記棒体の一側に一つの掴み部を凹状に設けることを特徴とする請求項１に記載のマッサージ器。
【請求項６】
前記本体は長板状を呈し、前記本体の少なくとも一端に一つの擦り板部を形成し、前記本体の擦り面の表面に複数の前記棒体及び複数の前記棒体と対応する前記球体を有することを特徴とする請求項１に記載のマッサージ器。
【考案の詳細な説明】
【技術分野】
【０００１】
本考案はマッサージ器に関する。
【背景技術】
【０００２】
よく使われるマッサージ器は、殆ど一つの板状によって一つの擦り板を形成し、擦り板の両端にある板体を直接利用し、体の必要部位に擦る。しかし、一般の擦り板は板状であるために、皮膚表面に擦るとき、擦り板の端縁面はあまりにも鋭過ぎる或いは平らではないために、擦り板が皮膚に接触するときに、皮膚にかき傷及びかき痕を与え、皮膚に傷が付きやすく、不注意で皮膚感染を引き起こす恐れがある。また、よく使われるマッサージ器は、マッサージ器としてのみ使用され、ツボマッサージとして兼用することができないために、ツボマッサージが必要な場合、べつにツボマッサージ器を購入しなければならないので、空間及びコストの浪費となり、使用時にも不便を感じる。
【考案の概要】
【考案が解決しようとする課題】
【０００３】
上記のよく使われるマッサージ器を実際に使用するときに、皮膚に傷を与え使用上に不便であるという欠点に鑑み、本考案者は新たにマッサージ器を設計した。
本考案の主な目的は、皮膚に傷を与えることを有効に減らし、更に擦る及びツボマッサージの機能を兼ね備え、使用の便利さ及び使用上の安全性を達成する一種のマッサージ器を提供することにある。
【課題を解決するための手段】
【０００４】
上記の目的を達成するために、本考案のマッサージ器は、一つの本体を有し、その本体の片面に一つの掴み面を形成し、もう片面を擦り面とする。その擦り面に複数個の第一結合スロットを凹状に設け、また複数本の棒体を設け、その棒体の両端に一つの第一端及び一つの第二端を設け、かつ各棒体の第一端と別々に対応している第一結合スロット内に固定設置し、また各棒体の第二端に別々に一つの球体を固定設置する。
【図面の簡単な説明】
【０００５】
【図１】本考案の第１実施例のマッサージ器の分解斜視図。
【図２】本考案の第１実施例のマッサージ器の斜視図。
【図３】本考案の第１実施例のマッサージ器の結合方式を説明する模式図。
【図４】本考案の第２実施例のマッサージ器の結合方式を説明する模式図。
【図５】本考案の第３実施例のマッサージ器の結合方式を説明する模式図。
【図６】本考案の第４実施例のマッサージ器の斜視図。
【図７】本考案の第５実施例のマッサージ器の斜視図。
【考案を実施するための形態】
【０００６】
（第１実施例）
第１図から第３図に示すように、本実施例のマッサージ器は下記のように構成される。
本実施例は、一つの本体１０と、本体１０の一面に形成された一つの掴み面（図中に番号を標示せず）と、もう一面に形成された一つの擦り面１１と、擦り面１１に凹状に設けられた複数個の第一結合スロット１２、とを備える。
また、複数本の棒体２０には棒体２０の両端に別々に一つの第一端２１及び一つの第二端２２が設けられ、複数本の棒体２０は各棒体２０の第一端２１とそれぞれ対応している第一結合スロット１２内に固定設置される。
【０００７】
次に複数個の球体３０について説明する。球体３０は天然鉱物材料、例えば水晶、鉱石の採用が可能である。或いは材質が硬い金属材料、例えば鉄、銅等の材料で作ることも可能である。
球体３０にはそれぞれ一つの第二結合スロット３１が設けられ、球体３０は各球体３０の第二結合スロット３１と対応している棒体２０の第二端２２に固定設置される。球体３０は必要に応じて異なる大きさの球体を設置することが可能である。例えば、図１では、球体３０を３列に設置し、中間により小さい球体を配列し、その中間列の球体３０の高さを横の２列の球体３０の高さより高くしている。上記のように、本実施例のマッサージ器を完成させる。
【０００８】
本実施例のマッサージ器を使用するとき、第１図及び第２図に示すように、使用者が本体１０を掴み、かつ擦り面１１を使用者の皮膚に向ける。球体３０の多ポイント状と平滑状を利用して皮膚を擦り、球体３０の球状を通して、皮膚により滑らかに接触する。また複数球体３０に合わせて大面積を擦る効果を提供することによって、使用者の使用時の安全性が向上すると同時に、使用効果も良く、また使用者はツボマッサージが必要になるとき、使用者も球体３０を押圧することにより、ツボマッサージ効果を達成し、使用効果を高めることができる。
第３図に本考案の結合方式を説明する模式図を示す。本方式では、棒体２０の第一端２１及び第二端２２を別々に接着剤により、相対する本体１０の各第一結合スロット１２及び球体３０の各第二結合スロット３１内に粘着し、本体１０と棒体２０と球体３０を有効的に結合固定する。
【０００９】
（第２実施例）
第４図に本考案の第２実施例を示す。本実施例の結合方式では、棒体２００の第二端２２０は一つの鋲であって、相対する球体３００の第二結合スロット３１０内に固定し、また棒体２００の第一端２１０を本体１００の第一結合スロット１２０に固定粘着する。
【００１０】
（第３実施例）
第５図に本考案の第３実施例を示す。本実施例の結合方式では、球体３０１と棒体２０１を一体成型し、かつ棒体２０１の第一端２１１を本体１０１の第一結合スロット１２１に固定粘着する。
【００１１】
（第４実施例）
第６図に本考案の第４実施例を示す。本体１０２は長条状を呈し、かつ棒体２０２及び球体３０２を本体１０２の一側の縁面１３０に設け、また側縁面１３０と隣り合う棒体２０２の一側に使用者が掴むための掴み部１３１を凹状に設ける。
【００１２】
（第５実施例）
第７図に本考案の第５実施例を示す。本体１０３は長板状を呈し、本体１０３の両端に一つの擦り板部１４０を形成し、また本体１０３の二つの擦り板部１４０の間にある擦り面１１０の表面に、三列の棒体２０３及び球体３０３を設ける。本実施例では、使用者の必要に応じて、擦り板部１４０を通して皮膚表面を線状に擦ること、或いは球体３０３を通して多ポイント擦り方式を実現すること、或いは球体３０３の特殊設計を利用して按圧方式により球体３０３をツボに按圧することによって、多目的使用方式を達成する。
【００１３】
上記に述べた実施例により本考案を説明したが、上述の実施例は本考案を限定するものではない。従って数値の変更、或いは効果の等しいコンポネントの変換も、本考案の範囲に含まれる。
【符号の説明】
【００１４】
１０、１００、１０１、１０２、１０３：本体、１１、１１０：擦り面、１２、１２０、１２１第一結合：スロット、１３０：側縁面、１３１：掴み部、１４０：擦り板部、２０、２００、２０１、２０２、２０３：棒体、２１、２１０、２１１：第一端、２２、２２０：第二端、３０、３００、３０１、３０２、３０３：球体、３１、３１０：第二結合スロット
【図１】
0003154183.tif 000003
【図２】
0003154183.tif 000004
【図３】
0003154183.tif 000005
【図４】
0003154183.tif 000006
【図５】
0003154183.tif 000007
【図６】
0003154183.tif 000008
【図７】
0003154183.tif 000009